(57)【要約】【課題】  パソコンの使用形態について、卓上での使用だけでなくいつでもどこでも使用できるようにし、より人に身近で自由に使用できるパソコンを実現することを目的とする。【解決手段】  本体部Ｉ１及び本体部ＩＩ２にはそれぞれタッチセンサー機能付き平面ディスプレイ３及び４を搭載しており、ディスプレイを向かい合わせに開閉できる構造とする。ディスプレイにキーボードを表示し画面上のキーをタッチすることによりパソコンの操作や文字入力が可能であり、従来のノート型パソコンのような縦開きでの使用だけでなく、本のように見開きで操作する横開き使用を可能とした。【選択図】  図２
2005128983.tif 000002
【特許請求の範囲】
【請求項１】
タッチセンサー機能付き平面ディスプレイを搭載した本体部２つを繋ぎ合わせ、ディスプレイ同士を向かい合わせに開閉できる構造を備えたパーソナルコンピュータ。
【請求項２】
プログラムによりディスプレイにキーボードなどの入力画面を表示し、ディスプレイを指でタッチすることによりコンピュータの操作や文字入力が可能な請求項１記載のパーソナルコンピュータ。
【請求項３】
請求項２記載の操作環境により、卓上で使用する縦開き使用と本のように見開きで操作する横開き使用の双方の使用が可能な請求項１記載のパーソナルコンピュータ。
【発明の詳細な説明】
【技術分野】
【０００１】  本発明は、タッチセンサー機能付き平面ディスプレイを２つ搭載し、本のように見開きで使用することができるパーソナルコンピュータ（以下、ブックパソコンという。）に関する。
【背景技術】
【０００２】  従来のノートブック型パーソナルコンピュータ（以下、ノート型パソコンという。）は、物理的なキーボードを搭載した本体部とディスプレイを搭載した蓋部から構成されている。
【発明の開示】
【発明が解決しようとする課題】
【０００３】  従来のノート型パソコンでは、固有のキーボードを備えているため操作方法が限定され、卓上等での操作を前提とした縦開き使用しかできない。
また、ディスプレイは１画面しかなく、複数のプログラムを同時に実行する場合には、各プログラムの画面表示を小さくするか、画面を切り替えて使用する必要がある。
本発明はこのような事情に鑑みてなされたものであり、ディスプレイにキーボードを表示し画面上のキーをタッチすることにより文字入力を可能としながら、ディスプレイを２つ搭載することにより表示情報量を倍増させるとともに、卓上使用にしばられずより人に身近で自由な使用形態のパソコンを実現することを目的とする。
【課題を解決するための手段】
【０００４】  本発明は前記目的を達成するため、タッチセンサー機能付き平面ディスプレイを搭載した本体部２つを繋ぎ合わせ、ディスプレイを向かい合わせに開閉できる構造となっており、両方のディスプレイに情報を表示することができ、かつ両方のディスプレイにおいてタッチセンサーによる情報入力を可能とした。
本発明によれば、従来のマウスのクリックのように画面上に表示された絵や文字をタッチする入力方法や、ディスプレイにキーボードを表示し画面上のキーをタッチする入力方法により、従来のノート型パソコンと同等の入力環境を構築することができる。また、固有のキーボードと異なりプログラムによって入力画面を自由に作成できるため、さまざまな操作環境を構築することができる。
上記のように自由にパソコンの操作環境を構築できるため、従来のノート型パソコンのような縦開き使用だけではなく、本のように見開きで操作する横開き使用を可能とした。
【発明の効果】
【０００５】  本発明によれば、ディスプレイにキーボードを表示し画面上のキーをタッチする入力方法により、従来のノート型パソコンのように卓上で使用することも可能であるほか、プログラム毎に独自の操作環境を構築することもできる。この自由な操作環境は同時に自由な使用形態を生み出し、本を開くように見開きでパソコンを操作することが可能となる。
また、ディスプレイを２つ搭載しているため表示できる情報量が倍増し、このブックパソコンを小型化した場合においても十分な情報を表示することが可能である。
【発明を実施するための最良の形態】
【０００６】  以下添付画面に従って本発明に係るブックパソコンの使用形態について説明する。図１は本発明の縦開き使用時のブックパソコンの斜視図であり、図２は横開き使用時、図３は収納時の様子を示す。これらの図に示すように、本例のブックパソコンは、本体部Ｉ１と本体部ＩＩ２からなり、本体部Ｉ１及び本体部ＩＩ２にはタッチセンサー機能付きの平面型ディスプレイ３及びディスプレイ４が組み込まれている。
接続部５を支点として開閉できる構造となっており、使用時はディスプレイ３及びディスプレイ４が水平になるまで開くことができ、収納時にはディスプレイ３及びディスプレイ４を向かい合わせに折りたたむことができる。
本体部Ｉ１と本体部ＩＩ２には、その内部に図示せぬメモリーやハードディスク、中央演算処理装置（ＣＰＵ）等が収納されており、本体部Ｉ１と本体部ＩＩ２が一体となって一つのコンピュータを形成している。
本体部Ｉ１又は本体部ＩＩ２に機能拡張を目的とした図示せぬ外部接続端子を設けてもよい。
【実施例】
【０００７】  図１は卓上等で使用する際の縦開き使用時の形状である。ディスプレイ４にキーボードを表示し、画面上のキーを指でタッチすることによりパソコンの操作や文字入力ができる。これにより、従来のノート型パソコンと同様の操作環境を構築することができる。また、入力画面はプログラムにより自由に変更できるため、そのプログラムに最適な操作環境を構築することもできる。入力画面は必要に応じて画面に呼び出したり画面から消したりできるため、ディスプレイ４は単なる入力用装置にとどまらず、２つめのディスプレイとして使用することができる。この使用形態においては、従来のノート型パソコンに近い使用形態でありながら、より便利でより高機能なパソコンを実現することができる。【０００８】  図２は本のように見開きで操作する際の横開き使用時の形状である。ディスプレイ３及びディスプレイ４は共に情報表示用のディスプレイであるとともに入力用装置でもある。プログラムによって、画面上の絵や文字をタッチする操作方法や、ディスプレイ３又はディスプレイ４にキーボードを表示させることによりパソコンの操作や文字入力を行うことができる。使用例としては、例えば電子図書を見開きで読むことができるほか、本を読むようにインターネット閲覧を行うことや、複数のプログラムを別々の画面に表示し同時に実行することなどができる。この使用形態においては卓上での使用から開放され、本を持つようにブックパソコンを持ち歩き、外出先や電車等の移動時にもパソコンを使用することができるため、より人に身近なパソコンを実現することができる。
【産業上の利用可能性】
【０００９】  このブックパソコンはオフィス等での卓上使用においてはより便利で高機能なパソコンとして、またプライベートにおいては移動性が高くより人に身近なパソコンとして利用することが可能となる。
【図面の簡単な説明】
【００１０】
【図１】  卓上等で使用する際の縦開き使用時の形状を示した斜視図である。
【図２】  本のように見開きで操作する際の横開き使用時の形状を示した斜視図である。
【図３】  収納時の形状を示した斜視図である。
【符号の説明】
【００１１】  １  本体部Ｉ
２  本体部ＩＩ
３  タッチセンサー機能付き平面ディスプレイＩ
４  タッチセンサー機能付き平面ディスプレイＩＩ
５  接続部
【図１】
2005128983.tif 000003
【図２】
2005128983.tif 000004
【図３】
2005128983.tif 000005